(57)【要約】［課題］沸騰冷却方式による冷却構造を薄型の電子機器に搭載すると十分な冷却性能が得られない。［解決手段］本発明における冷却構造は、発熱体と熱的に接続し、冷媒を貯蔵する蒸発部と蒸発部で気化した気相冷媒を凝縮させる凝縮部と、蒸発部と凝縮部とを接続する配管とを有し、凝縮部は、水平方向に延在した平板状容器を含み、凝縮部の側面に配管と接続する接続口を有し、さらに凝縮部の内部を鉛直上方向に位置する上部空間と、鉛直下方向に位置する下部空間とに仕切る仕切り板を備え、仕切り板は、上部空間と下部空間とを連通する開口部を有している。
2013111561.tif 000002
【特許請求の範囲】
【請求項１】
発熱体と熱的に接続し、冷媒を貯蔵する蒸発部と
前記蒸発部で気化した気相冷媒を凝縮させる凝縮部と、
前記蒸発部と前記凝縮部とを接続する配管とを有し、
前記凝縮部は、水平方向に延在した平板状容器を含み、前記凝縮部の側面に前記配管と接続する接続口を有し、
さらに前記凝縮部の内部を鉛直上方向に位置する上部空間と、鉛直下方向に位置する下部空間とに仕切る仕切り板を備え、
前記仕切り板は、前記上部空間と前記下部空間とを連通する開口部を有している冷却構造。
【請求項２】
前記配管は、蒸気管と液管とを含み
前記蒸気管は、前記凝縮部の側面において、前記上部空間と前記蒸発部とを接続し、
前記液管は、前記凝縮部の側面において、前記下部空間と前記蒸発部とを接続し、
前記仕切り板は、前記凝縮部の前記蒸気管および前記液管が接続する側面の内壁と接続していることを特徴とする請求項１に記載の冷却構造。
【請求項３】
前記仕切り板は、前記凝縮部の前記蒸気管および前記液管が接続する一端から延在方向の他端に向けて鉛直下方に傾斜していることを特徴とする請求項１または２のいずれか一項に記載の冷却構造。
【請求項４】
前記凝縮部の下面部は、前記凝縮部が前記蒸気管および前記液管が接続する一端から延在方向の他端に向けて鉛直上方に傾斜していることを特徴とする請求項１から３のいずれか一項に記載の冷却構造。
【請求項５】
前記凝縮部は、下面部に溝部を備えることを特徴とする請求項１から４のいずれか一項に記載の冷却構造。
【請求項６】
前記溝部の断面形状は、階段形状であることを特徴とする請求項５に記載の冷却構造。
【請求項７】
前記溝部は、曲線形状であることを特徴とする請求項５に記載の冷却構造。
【請求項８】
前記開口部は、複数の開口孔で構成される開口孔部を含むことを特徴とする請求項１から７のいずれか一項に記載の冷却構造。
【請求項９】
前記開口部は、前記接続口を備えた前記凝縮部の側面と対向する側面と、前記仕切り板の端部との間に位置する開口領域を含むことを特徴とする請求項１から８のいずれか一項に記載の冷却構造。
【請求項１０】
前記凝縮部の上面部の内壁面に凝縮フィンを設けていること特徴とする請求項１から９のいずれか一項に記載の冷却構造。
【請求項１１】
前記凝縮フィンは、鉛直方向に延在した形状であり、
前記凝縮フィンの上端部が、前記凝縮部の上面部における内壁面に接続しており、
前記凝縮フィンの下端部が、前記仕切り板と接続していることを特徴とする請求項１０に記載の冷却構造。
【請求項１２】
前記凝縮部は、前記蒸発部より鉛直上方に配置されていることを特徴とする請求項１から１０のいずれか一項に記載の冷却構造。
【請求項１３】
前記凝縮部は、前記蒸気管および前記液管が接続する一端から延在する他端に向けて延在していることを特徴とすう請求項１から１２のいずれか一項に記載の冷却構造。
【請求項１４】
発熱体を搭載する基板と、
前記基板に配置され、蒸発部と凝縮部と配管とを備えた冷却構造と、
前記基板を装着する筺体とを有し、
前記筺体は、前記凝縮部を収容する連結部を含む放熱部を備え、
前記凝縮部は、水平方向に延在した平板状容器を含み、前記凝縮部の側面に前記配管と接続する接続口とを有し、
さらに前記凝縮部の内部を鉛直方向の上部に位置する上部空間と、鉛直方向下部に位置する下部空間とに仕切る仕切り板を備え、
前記仕切り板は、上部空間と下部空間とを連通する開口部を有することを特徴とする冷却構造を用いた電子装置。
【請求項１５】
前記連結部の下面部は、前記凝縮部が前記蒸気管および前記液管が接続する一端から延在方向の他端に向けて鉛直上方に傾斜していることを特徴とする請求項１４に記載の冷却構造を用いた電子装置。
【請求項１６】
前記凝縮部の外壁面に連結フィンを備え、
前記連結部は、内壁面に前記連結フィンと嵌合する形状であることを特徴とする請求項１４または１５に記載の冷却構造を用いた電子装置。
【発明の詳細な説明】
【技術分野】
【０００１】
本発明は、ブレードサーバなどの薄型電子機器の冷却構造に関し、特に、冷媒の気化と凝縮の相変化サイクルによって熱の輸送・放熱を行う沸騰冷却方式を採用した薄型電子機器の冷却構造及びそれを用いた電子装置に関する。
【背景技術】
【０００２】
近年、コンピュータのような電子機器においては処理性能の向上や高い信頼性を確保するため、複数の電子機器を一つの筐体に収容し、一括して管理することとした電子装置が開発されている。このような電子装置では、限られたスペースにできるだけ多くの電子機器を設置するため、個々の電子機器を薄型化する必要がある。【０００３】
薄型電子機器の一例としてブレードサーバが知られている。ブレードサーバとは、中央処理装置（Ｃｅｎｔｒａｌ  Ｐｒｏｃｅｓｓｉｎｇ  Ｕｎｉｔ：ＣＰＵ）やメモリ、ハードディスクなどの電子部品を挿抜可能な基板に搭載した形態のサーバコンピュータである。そして複数のブレードサーバが同一の筐体に搭載され、一つの電子装置（サーバ装置）として運用、管理される。【０００４】
ブレードサーバでは、搭載されたＣＰＵなどの電子部品が発熱素子であるため、冷却構造を備える必要がある。高効率な冷却構造の一つとして、冷媒の気化と凝縮の相変化サイクルと重力による還流を使用して熱の輸送・放熱を行う沸騰冷却方式を用いた冷却構造が知られている。沸騰冷却方式においては、冷媒が気液二相流として移動するため、熱輸送能力を向上させることができる。【０００５】
特許文献１には、その沸騰冷却方式を用いてブレードサーバを冷却する技術が記載されている。特許文献１では、凝縮部に相当する第一の放熱部が挿抜方向に延伸した形状であり、第一の放熱部は、感熱ペースト、あるいは熱伝導性グリース等を介してサーマルコネクタと挿抜自在に熱的に接続している。サーマルコネクタは、内周壁面を熱伝達面とした円筒状のヒートシンクを有し、ヒートシンクは外周平面にフィンを付設してある。そしてファンによりヒートシンクの放熱を促進することで、発熱素子により沸騰した冷媒の冷却を行うこととしている。
【先行技術文献】
【特許文献】
【０００６】
【特許文献１】特開２００９−１４７１５６号公報
【発明の概要】
【発明が解決しようとする課題】
【０００７】
このようなブレードサーバを筺体に挿抜する構造の場合、上下方向に厚さの制限があり、凝縮部の高さを低くせざるを得ない。しかし凝縮部の高さを低くすると凝縮部の体積が減少するので、放熱効率が低下し冷却性能についても低下してしまう。そこで特許文献１では挿抜方向には空間を有しているため、第1の放熱部を挿抜方向に延伸させた形状としている。【０００８】
しかし特許文献１における第１の放熱部は、挿抜方向に延在した形状であり、高さが制限されていても全体の体積が確保されている。しかし、第１の放熱部に流入した冷媒の蒸気は、第１の放熱部の全体に広がって熱をサーマルコネクタに伝える前に、凝縮液化してしまう。【０００９】
その結果、第１の放熱部に流入してきた冷媒の蒸気は入口近傍で凝縮液化し、十分に冷却される前に排出されてしまう。すなわち第1の放熱部の一部の領域しか有効に機能しないため、冷却性能が低下してしまうという問題があった。【００１０】
本発明の目的は、上述した課題である沸騰冷却方式による冷却構造を薄型の電子機器に搭載すると、十分な冷却性能が得られないという課題を解決する冷却構造及びそれを用いた電子装置を提供することにある。
【課題を解決するための手段】
【００１１】
本発明における冷却構造は、発熱体と熱的に接続し、冷媒を貯蔵する蒸発部と蒸発部で気化した気相冷媒を凝縮させる凝縮部と、蒸発部と凝縮部とを接続する配管とを有し、凝縮部は、水平方向に延在した平板状容器を含み、凝縮部の側面に配管と接続する接続口を有し、さらに凝縮部の内部を鉛直上方向に位置する上部空間と、鉛直下方向に位置する下部空間とに仕切る仕切り板を備え、仕切り板は、上部空間と下部空間とを連通する開口部を有している。
【発明の効果】
【００１２】
本発明における冷却構造によれば、薄型電子機器に搭載する場合であっても十分な冷却性能を有する冷却構造及びそれを用いた電子装置を得られる。
【図面の簡単な説明】
【００１３】
【図１】本発明の第１の実施形態に係る冷却構造の構成を示す断面図である。
【図２】本発明の第１の実施形態に係る放熱部の構成を示す断面図である。
【図３】本発明の第１の実施形態に係る放熱部の構成を示す断面図である。
【図４】本発明の第１の実施形態に係る放熱部の構成を示す断面図である。
【図５】本発明の第１の実施形態に係る作用・効果を説明するための図面である。
【図６】本発明の第１の実施形態に係る凝縮部の構成を示す断面図である。
【図７】本発明の第２の実施形態に係る放熱部の構成を示す断面図である。
【図８】本発明の第２の実施形態に係る凝縮部の構成を示す断面図である。
【図９】本発明の第３の実施形態に係る凝縮部の構成を示す断面図である。
【図１０】本発明の第３の実施形態に係る凝縮部の構成を示す断面図である。
【図１１】本発明の第４の実施形態に係る凝縮部の構成を示す断面図である。
【図１２】本発明の第４の実施形態に係る凝縮部の構成を示す断面図である。
【図１３】本発明の第５の実施形態に係る凝縮部の構成を示す断面図である。
【図１４】本発明の第５の実施形態に係る凝縮部の構成を示す断面図である。
【図１５】本発明の第６の実施形態に係る凝縮部の構成を示す断面図である。
【図１６】本発明の第６の実施形態に係る放熱部の構成を示す断面図である。
【図１７】本発明の第６の実施形態に係る電子装置の構成を示す断面図である。
【発明を実施するための形態】
【００１４】
以下に、本発明を実施するための好ましい形態について図面を用いて説明する。
【００１５】
〔第１の実施形態〕本実施形態について図面を参照して詳細に説明する。図１は、本実施形態における冷却構造１の断面図である。
【００１６】
〔構成の説明〕図１に示すように、第１の実施形態における冷却構造１の構成を示す。本実施形態における冷却構造１は、蒸発部３と、凝縮部５と、配管７とを備える。
【００１７】
蒸発部３は、密閉構造であり内部に冷媒を貯蔵している。密閉空間における内圧は、ポンプなどにより減圧された状態で冷媒の飽和蒸気圧を保っている。本実施形態では、具体的な冷媒としてＨＦＣ（ｈｙｄｒｏ  ｆｌｕｏｒｏｃａｒｂｏｎ：ハイドロフルオロカーボン）や、ＨＦＥ（ｈｙｄｒｏ  ｆｌｕｏｒ  ｅｔｈｅｒ：ハイドロフルオロエーテル）を用いているが、材料はこれに限定されない。なお蒸発部３は、発熱体と熱的に接触して使用され、冷媒は発熱体が発生する熱を受熱し沸騰する。
【００１８】
発熱体は、例えばＣＰＵなど動作に伴い熱を発生させるものであれば特に限定されない。なお図示されていないが、発熱体は基板に実装されていてもよい。発熱体は、蒸発部３と接触する面において、熱伝導グリースなどの熱伝導性の高い樹脂等を介して蒸発部３と熱的に接続していている。
【００１９】
凝縮部５は、密閉性を有する平板状容器であり、内部空間に水平方向に延在した仕切り板８を設けており、蒸発部３より鉛直上方に配置されている。凝縮部５の内部空間は、仕切り板８を境にして上部空間と下部空間とを形成している。なお仕切り板８は、少なくとも一部に開口部としての開口領域９を備え、開口領域９によって仕切り板８に区切られた上部空間と下部空間とを連通した構造を形成する。なお凝縮部５の材質は、銅やアルミなど熱伝導性が高いものであれば特に限定されない。
【００２０】
配管７は、蒸気管７ａと液管７ｂとを含んでいる。蒸気管７ａは、蒸発部３と凝縮部５の上部空間として接続しており、蒸発部３において蒸発した冷媒の蒸気を凝縮部５に運ぶ。なお蒸気管７ａは、凝縮部５の接続口において接続している。そして蒸発部３において蒸発した冷媒の蒸気を凝縮部５に運ぶため、蒸気管７ａは蒸発部３の上部と接続していることが望ましい。
【００２１】
液管７ｂは、凝縮部５と蒸発部３の下部空間とを接続しており、凝縮部５において凝縮して液化した冷媒を蒸発部３に運ぶ。なお液管７ｂは、凝縮部５の接続口において接続している。そして凝縮して液化した冷媒を蒸発部３に運ぶため、液管７ｂは蒸発部３の下部と接続していることが望ましい。
【００２２】
蒸気管７ａと液管７ｂは、内層が金属層、外層が樹脂層で構成される２層構造、あるいは内層と外層とがともに金属層で構成としてもよい。なお蒸気管７ａと蒸発部３とが接続する箇所、および液管７ｂと蒸発部３とが接続する箇所は、上記に限定されない。
【００２３】
凝縮部５は、水平方向に延在した形状である。なお凝縮部５を装着する連結部１０を有した放熱部６をさらに備えた構成としてもよい。連結部１０に挿入された凝縮部５と放熱部６とが熱的に接触することで、蒸気管７ａを介して蒸発部３から凝縮部５に伝えられた熱を放熱部６に伝え、効率よく放熱することが可能となる。
【００２４】
図２は、放熱部６の連結部１０に凝縮部５を挿入したときの放熱部６の断面図である。図３は、図２におけるＡ−Ａ’線における凝縮部５の断面図である。図３では、仕切り板８の開口領域９が凝縮部５の蒸気管７ａ、液管７ｂが接続されている側と対向する端部に設けられた場合を示すが、これに限定されない。
【００２５】
また図４は、図２におけるＢ−Ｂ’線における放熱部６の断面図である。図４では、仕切り板８を境にした凝縮部５の上部空間と下部空間が同じ体積であるが、これに限定されない。また図４に示すように放熱部６は、放熱フィン１１などを設けて表面積を増やすことで凝縮部５から伝えられた熱の冷却を促進することができる。なお以下の作用・効果の説明では、凝縮部５の熱を放熱部６に伝えて放熱する場合を記載しているが、これに限らず放熱部６を備えずに凝縮部５で放熱を行うこともできる。
【００２６】
〔作用・効果の説明〕次に、本実施形態における作用・効果について図５を参照して説明を行う。図５は、凝縮部５を放熱部６の連結部１０に挿入したときの断面図である。
【００２７】
蒸発部３は、熱伝導性の高い材質であり、発熱体と熱伝導性グリースを介して熱的に接続している。そのため発熱体が発する熱は、蒸発部３を介して、蒸発部３の内部に貯蔵された冷媒に伝わる。
【００２８】
冷媒は、発熱体が発する熱を受熱することで沸騰する。蒸発部３の密閉空間に設けられた冷媒が沸騰することで発生した気相冷媒である蒸気は、気液密度の差による浮力により、蒸気管７ａを介して凝縮部５に運ばれる。
【００２９】
凝縮部５は、放熱部６に装着されており、互いに接触して連結しており、熱的に接続している。そのため蒸気管７ａより凝縮部５に運ばれた冷媒の蒸気の熱は、放熱部６に伝わる。放熱部６は放熱フィン１１を設けているため表面積が大きいので、効率よく外気と熱交換を行うことで、凝縮部５から伝えられた冷媒の蒸気の熱を放熱する。
【００３０】
凝縮部５に運ばれた冷媒の蒸気は、放熱部６によって冷却されるため、凝縮して液化する。液化した冷媒は、重力により液管７ｂを介して蒸発部３へと還流する。そして冷媒は、蒸発部３において再び発熱体が発する熱により沸騰することで、冷却サイクルが継続して行われる。
【００３１】
換言すると、図５に示すように、蒸発部３の内部に設けられた冷媒は、発熱体が発する熱により液体から気体に変化し、そして凝縮部５に運ばれて放熱部６を介して冷却されることで気体から再び液体に凝縮する。つまり冷媒は、液体から気体、そして気体から液体と相変化を繰り返すことで、発熱体で発生した熱を、放熱部６を介して放熱を行う。
【００３２】
ここで凝縮部５が内部空間に仕切り板８を設けていない場合を考える。凝縮部５は、放熱部６の連結部１０に対して挿抜を行う。そのため、凝縮部５の挿抜方向の一方の側面に蒸気管７ａと液管７ｂとの両方を接続している。
【００３３】
つまり凝縮部５は水平方向に延在し、水平方向の一方の端部に配管が接続した構成であるため、配管から流入した冷媒蒸気は、凝縮部や全体に拡散する前に配管接続部の近傍で凝縮液化してしまう。その結果、凝縮部５の一部しか放熱に寄与せず冷却性能が低下してしまうという問題があった。
【００３４】
上記作用について詳細に説明すると、凝縮部５内の冷媒蒸気は圧力が高いところから低いところへ移動しようとする。ここで蒸発部３における沸騰により蒸気管７ａ内には冷媒蒸気が満ちているので、液管７ｂの圧力は蒸気管７ａの圧力より低くなる。そのため蒸発部５に仕切り板８を設けない場合、蒸気管７ａから流入した冷媒は、凝縮部５の奥には入り込まずに凝縮液化してしまい、すぐに液管７ｂに流入してしまう。
【００３５】
それに対して本実施形態による冷却構造１では、凝縮部５の内部に水平方向に延在する仕切り板８を設けている。そして蒸気管７ａと凝縮部５との接続する接続口と、液管７ｂと凝縮部５とが接続する接続口のあいだに設けた仕切り板８は、凝縮部５と接続している。
【００３６】
凝縮部５の内部空間は、仕切り板８を境にして上部空間と下部空間とを形成している。そして仕切り板８は、少なくとも一部に開口領域９を設けており、仕切り板８に区切られた上部空間と下部空間とを連通した構造を形成している。
【００３７】
上記構造により、蒸気管７ａを介して凝縮部５に運ばれた冷媒の蒸気は、凝縮部５の上部空間に運ばれる。冷媒の蒸気は、凝縮部５の上部空間においては、鉛直方向の高さが制限されているので凝縮部５の奥行き方向への拡散が促進され、凝縮部５の全体に充満する。
【００３８】
つまり仕切り板８を設けると、蒸気管７ａと蒸発部５とが接続する端部とは反対側である他端に低圧力源を設けることができる。そのため蒸気管７ａから流入した冷媒は、凝縮部５の他端である奥側が圧力の低いところとなるため、冷媒の蒸気を蒸発部５の奥まで拡散させることができる。
【００３９】
そして冷媒の蒸気は、凝縮部５において効率よく冷却され、開口領域９が設けられている位置まで移動する。上部空間で凝縮液化した液相の冷媒は、開口領域９を介して下部空間に運ばれて、液管７ｂと凝縮部５との接続箇所である接続口に到達する。
【００４０】
換言すると、仕切り板８がない場合に比べて、冷媒の蒸気は開口領域９まで水平方向に凝縮部５内を広がるため、凝縮部５全体を使って冷媒蒸気の熱を放熱部６に伝えることができる。その結果、冷媒の蒸気が凝縮して液化されないまま状態で液管７ｂを介して蒸発部４に運ばれて循環することを防ぐことができ、冷却性能が低下することを抑制することができる。
【００４１】
なお図３に示すように開口領域９は、凝縮部５の蒸気管７ａと液管７ｂとが接続する側面とは、反対側の側面に近い位置に設けていることが望ましい。上記構成により、凝縮液化した冷媒が液管まで流動する距離が長くなり、そのぶん冷却性能を向上させることができる。
【００４２】
また図６に示すように、仕切り板８は、凝縮部５が蒸気管７ａおよび液管７ｂと接続する一端から他端に向けて（凝縮部５の挿入方向）、鉛直下方向に傾斜した構造であることが好ましい。その結果、凝縮部５の上部空間で凝縮した冷媒は重力の作用によりすみやかに開口領域９に到達し、下部空間に流動することができる。
【００４３】
〔第２の実施形態〕次に、第２の実施形態について図７、図８を参照して詳細に説明する。図７は、放熱部６の断面図であり、図８は凝縮部５の断面図である。
【００４４】
〔構造の説明〕本実施形態における冷却構造１では、放熱部６における連結部１０および凝縮部５の下面部がテーパー形状である。それ以外の構造、接続関係は、第１の実施形態と同様であり、蒸発部３と、凝縮部５と、配管７とを備えている。
【００４５】
蒸発部３は、密閉構造であり内部に冷媒を貯蔵している。密閉空間における内圧は、ポンプなどにより減圧された状態で飽和蒸気圧を保っている。なお蒸発部３は、発熱体と熱的に接触しており、冷媒は発熱体が発生する熱を受熱し沸騰する。
【００４６】
凝縮部５は、密閉性を有する平板状容器であり、内部空間に水平方向に延在した仕切り板８を設けて、上部空間と下部空間とを形成している。なお仕切り板８は、少なくとも一部に開口領域９を設けており、上部空間と下部空間とを連通した構造を形成する。
【００４７】
配管７は、蒸気管７ａと液管７ｂとを含んでいる。蒸気管７ａは、蒸発部３と凝縮部５の上部空間とを接続しており、蒸発部３において蒸発した冷媒の蒸気を凝縮部５に運ぶ。液管７ｂは、凝縮部５と蒸発部３の下部空間とを接続しており、凝縮部５において凝縮して液化した冷媒を蒸発部３に運ぶ。蒸気管７ａと凝縮部５とが接続する接続口と、液管７ｂと凝縮部５とが接続する接続口のあいだに、仕切り板８は配置され、凝縮部５と接続している。
【００４８】
放熱部６は、凝縮部５を挿入させる連結部１０を有している。連結部１０に凝縮部５を挿入することで、凝縮部５と放熱部６とを接触させる。そして、凝縮部５が蒸気管４ａを介して蒸発部３から伝えられた熱を、放熱部６に伝える。
【００４９】
図７に示すように、ここで本実施形態における連結部１０の下面部は、凝縮部５（平板状容器）を挿入する側から挿入方向に向けて鉛直上方に傾斜面（テーパー形状）を形成している。つまり連結部１０の断面積が徐々に小さくなるように、連結部１０の下面部が挿入口から徐々に高くなっている。
【００５０】
図８（ａ）に示すように、凝縮部５についても平板状容器の下面部が蒸気管７ａと液管７ｂとが接続する一端から他端に向けて鉛直上方に傾斜していることが好ましい。つまり凝縮部５の挿入方向における断面積が徐々に小さくなるように下面部が傾斜面（テーパ形状）を形成していることが好ましい。
【００５１】
なお連結部１０の下面部の傾斜角度と、凝縮部５の下面部の傾斜角度は同じ角度、もしくは、連結部１０に凝縮部５を挿抜可能な角度であることが好ましい。
【００５２】
また図８（ｂ）に示すように、凝縮部５の上面部についても蒸気管７ａと液管７ｂとが接続する一端から他端に向けて鉛直上方に傾斜面（テーパ形状）を形成していることが好ましい。また凝縮部５における傾斜面における角度は、連結部１０における傾斜面の角度と対応した形状であることが好ましい。
【００５３】
〔作用・効果の説明〕次に、本実施形態における作用・効果について説明を行う。
【００５４】
蒸発部４内に貯蔵された冷媒は、発熱体が発する熱を受熱することで沸騰する。冷媒が沸騰することで発生した気相冷媒である蒸気は、気液密度の差による浮力により、蒸気管７ａを介して凝縮部５に運ばれる。
【００５５】
凝縮部５は、放熱部６に挿入されており、互いが接触して連結しており、熱的に接続している。そのため凝縮部５に運ばれた冷媒の蒸気の熱は、放熱部６に伝わる。放熱部６は外気と熱交換を行うことで、凝縮部５から伝えられた冷媒の蒸気の熱を放熱する。
【００５６】
凝縮部５に運ばれた冷媒の蒸気は、放熱部６に伝えた熱が冷却されるため、凝縮して液化する。液化した冷媒は、重力により液管７ｂを介して蒸発部３へと還流する。そして冷媒は、蒸発部３において再び発熱体が発する熱により沸騰し、冷却サイクルが継続して行われる。
【００５７】
ここで本実施形態における放熱部６の連結部１０の下面部は、凝縮部５が挿入される側の一端から他端に向けて、鉛直上方向に傾斜面を形成している。
【００５８】
また凝縮部５の下面部に関しても、凝縮部５と蒸気管7ａおよび液管７ｂとが接続する凝縮部５の一端から他端に向けて、傾斜面（テーパ形状）を形成している。
【００５９】
上記構造にすることで、蒸気管８aと液管８ｂとが接続する凝縮部５の側面とは反対側に滞留した液相の冷媒が液管８ｂに向けて流動するのを重力の作用により促進することができる。その結果、下部空間において液化した冷媒をスムーズに液管８ｂに運ぶことができるので、冷却性能が向上する。
【００６０】
また連結部１０に弾性に持たせることにより、連結部１０に凝縮部５を挿入するとき、凝縮部５の上面を連結部６の上面に強く押し付けることができる。つまり凝縮部５の上面と連結１０の上面とを圧着させることができる。その結果、蒸気管７ａから凝縮部５の上部空間に運ばれた冷媒の蒸気の熱を、効率よく放熱部６に伝えることができるため、冷却性能が向上する。
【００６１】
〔第３の実施形態〕次に、第３の実施形態について図９、図１０を参照して詳細に説明する。図９、１０は、凝縮部５の断面図である。
【００６２】
〔構造の説明〕本実施形態における冷却構造１では、凝縮部５が下面部に溝部１２を備えている。それ以外の構造、接続関係は、第１の実施形態と同様であり、蒸発部３と、凝縮部５と、配管７とを備えている。
【００６３】
蒸発部３は、密閉構造であり内部に冷媒を貯蔵している。なお蒸発部３は発熱体と熱的に接触しており、冷媒は発熱体が発生する熱を受熱し沸騰する。
【００６４】
凝縮部５は、密閉性を有する平板状容器であり内部空間に水平方向に延在した仕切り板８を設けて、上部空間と下部空間とを形成している。なお仕切り板８は、少なくとも一部に開口領域９を設けており、開口領域９によって上部空間と下部空間とが連通した構成である。
【００６５】
配管７は蒸気管７ａと液管７ｂとを含んでいる。蒸気管７ａは、蒸発部３と凝縮部５の上部空間とを接続しており、蒸発部３において蒸発した冷媒の蒸気を凝縮部５に運ぶ。液管７ｂは、凝縮部５と蒸発部３の下部空間とを接続しており、凝縮部５において凝縮して液化した冷媒を蒸発部３に運ぶ。蒸気管７ａと凝縮部５とが接続する接続口と、液管７ｂと凝縮部５とが接続する接続口のあいだで、仕切り板８は凝縮部５と接続している。
【００６６】
放熱部６は、凝縮部５を装着する連結部１０を有している。連結部１０に凝縮部５を挿入することで、凝縮部５と放熱部６とを接触させる。そして、凝縮部５が蒸気管４ａを介して蒸発部３から伝えられた熱を、放熱部６に伝える。
【００６７】
ここで本実施形態における冷却構造１の凝縮部５は、下部空間の下面部に溝部１２を備える。なお溝部１２の形状は、図９に示すような階段形状でもよいし、図１０に示すような曲線形状でもよい。凝縮部５の下部空間において、凝縮液化した冷媒を、液管７ｂまで導く形状であれば、特に限定はされない。
【００６８】
〔作用・効果の説明〕次に、本実施形態における作用・効果について説明を行う。
【００６９】
蒸発部４内に設けられた冷媒は、発熱体が発する熱を受熱することで沸騰する。冷媒が沸騰することで発生した気相冷媒である蒸気は、気液密度の差による浮力により、蒸気管７ａを介して凝縮部５に運ばれる。
【００７０】
凝縮部５は、放熱部６に挿入された状態で使用することができる。このとき凝縮部５と放熱部６は、互いが接触して連結しており、熱的に接続している。そのため凝縮部５に運ばれた冷媒の蒸気の熱は、放熱部６に伝わる。放熱部６は外気と熱交換を行うことで、凝縮部５から伝えられた冷媒の蒸気の熱を放熱する。
【００７１】
凝縮部５に運ばれた冷媒の蒸気は、放熱部６において放熱することにより、凝縮して液化する。液化した冷媒は、重力により液管７ｂを介して蒸発部３へと還流する。そして冷媒は、蒸発部３において再び発熱体が発する熱により沸騰し、冷却サイクルが継続して行われる。
【００７２】
ここで本実施形態における凝縮部５は、下部空間の下面部に液管７ｂと接続する領域に溝部１２を形成している。その結果、凝縮部５の下部空間において、凝縮液化した冷媒を、効率よく液管７ｂまで導くことができるので冷却効率を向上させることができる。
【００７３】
〔第４の実施形態〕次に、第４の実施形態について図１１、図１２を参照して詳細に説明する。図１１、図１２は凝縮部５の断面図である。
【００７４】
〔構造の説明〕本実施形態における冷却構造１においては、凝縮部５の仕切り板８は開口部として多数の開口孔からなる開口孔部２０を備える。それ以外の構造、接続関係は、第１の実施形態と同様であり、蒸発部３と、凝縮部５と、配管７とを備えている。
【００７５】
蒸発部３は、密閉構造であり内部に冷媒を貯蔵している。なお蒸発部３は、実装されている発熱体と熱的に接触しており、冷媒は発熱体が発生する熱を受熱し沸騰する。
【００７６】
凝縮部５は密閉性を有する平板状容器であり、内部空間に水平方向に延在した仕切り板８を備え、上部空間と下部空間とを形成している。なお仕切り板８は、少なくとも一部に開口領域９を備えており、上部空間と下部空間とを連通した構造を形成する。
【００７７】
配管７は、蒸気管７ａと液管７ｂとを含んでいる。蒸気管７ａは、蒸発部３と凝縮部５の上部空間とを接続しており、蒸発部３において蒸発した冷媒の蒸気を凝縮部５に運ぶ。液管７ｂは、蒸発部３と凝縮部５の下部空間とを接続しており、凝縮部５において凝縮して液化した冷媒を蒸発部３に運ぶ。蒸気管７ａと凝縮部５とが接続する接続口と、液管７ｂと凝縮部５とが接続する接続口のあいだの位置で、仕切り板８は凝縮部５と接続している。
【００７８】
凝縮部５を装着させる連結部１０を備えた放熱部６を有する構成としてもよい。連結部１０に凝縮部５を挿入することで、凝縮部５と放熱部６とを接触させる。そして、凝縮部５が蒸気管７ａを介して蒸発部３から伝えられた熱を、放熱部６に伝える。
【００７９】
ここで本実施形態における冷却構造１の凝縮部５は、凝縮部５の仕切り板８に多数の開口孔からなる開口孔部２０を備える。なお図１１に示すように開口領域９に代えて、開口孔部２０を設けることとしてもよいし、図１２に示すように、開口領域９と開口孔部２０とを一緒に設けてもよい。
【００８０】
〔作用・効果の説明〕次に、本実施形態における作用・効果について説明を行う。
【００８１】
蒸発部４内に設けられた冷媒は、発熱体が発する熱を受熱することで沸騰する。冷媒が沸騰することで発生した気相冷媒である蒸気は、気液密度の差による浮力により、蒸気管７ａを介して凝縮部５に運ばれる。
【００８２】
凝縮部５が放熱部６に装着された構成では、凝縮部５と放熱部６は互いに接触して連結しており、熱的に接続している。そのため凝縮部５に運ばれた冷媒の蒸気の熱は、放熱部６に伝わる。放熱部６は外気と熱交換を行うことで、凝縮部５から伝えられた冷媒の蒸気の放熱を促進する。
【００８３】
凝縮部５に運ばれた冷媒の蒸気は、放熱部６によって放熱するため、凝縮し液化する。液化した冷媒は、重力により液管７ｂを介して蒸発部３へと還流する。そして冷媒は、蒸発部３において再び発熱体が発する熱により沸騰し、冷却サイクルが継続して行われる。
【００８４】
蒸気管７ａにより凝縮部５に運ばれた冷媒の蒸気は、凝縮部５の上部空間に運ばれ開口領域９が設けられている位置まで移動する。つまり冷媒の蒸気は仕切り板８によって鉛直方向の移動が制限される。そのため開口領域９まで水平方向に凝縮部５内を移動することで、凝縮部５全体を使って冷媒蒸気の熱を放熱部６に伝えることができる。そして上部空間において凝縮した冷媒は、開口領域９を介して下部空間に流動し、液管７ｂを介して蒸発部３に還流する。
【００８５】
しかし冷媒蒸気が開口領域９に到達する前に凝縮液化すると、液相の冷媒が仕切り板８上に滞留してしまう。この場合、凝縮した冷媒の一部は蒸発部４に効率的に循環されないため、冷却性能の改善効果が低減する。
【００８６】
本実施形態における凝縮部５は、図１１に示すように仕切り板８の全体に多数の開口孔からなる開口孔部２０を設けている。上記構成により、凝縮部５と蒸気管７ａとが接続する接続口近傍に設けられた開口孔部２０は、接続口近傍で凝縮した冷媒を効率よく下部空間に流出させることができる。その結果、凝縮した液体が仕切り板８上に滞留することを防ぐことができる。
【００８７】
また凝縮部５の接続口とは反対側の端部に設けられた開口孔部２０は、凝縮部５の奥まで拡散して凝縮した冷媒を下部空間に流出させることができる。なお図１２に示すように、凝縮部５の接続口とは反対側の端部に設けられた開口孔部２０は、図３に示すような開口領域９として設けてもよい。
【００８８】
上記作用について詳細に説明すると、気相冷媒は液相冷媒より体積が大きく流速が早いので、開口孔部２０の小さな穴を通過することなく、低圧力源である凝縮部５の奥まで広がる。一方、凝縮した液相冷媒は体積が気相冷媒に比べで小さくなるので、開口孔部２０を通過することができる。
【００８９】
つまり凝縮部５の接続口近傍で凝縮した冷媒は、仕切り板８上に滞留することなく、接続口近傍に配置された開口孔部２０を介して下部空間に流出させることができる。
【００９０】
一方、接続口近傍で気相状態である冷媒は、凝縮部５の奥側に設けられた開口孔部２０または開口領域９まで流動させることで凝縮が行なわれる。その結果、仕切り板８上に滞留する冷媒を下部空間に効率よく流出させることができ冷却構造１の冷却性能が低減することを防ぐことができる。
【００９１】
〔第５の実施形態〕次に、第５の実施形態について図１３、図１４を参照して詳細に説明する。図１３、図１４は凝縮部５が延在する方向に垂直な断面図である。
【００９２】
〔構造の説明〕本実施形態における冷却構造１は、凝縮部５における上部空間の内壁に凝縮フィン１３を設けている。それ以外の構造、接続関係は、第１の実施形態と同様であり、蒸発部３と、凝縮部５と、配管７とを備えている。
【００９３】
蒸発部３は、密閉構造であり内部に冷媒を貯蔵している。なお蒸発部３は発熱体と熱的に接続して使用しており、冷媒は発熱体が発生する熱を受熱し沸騰する。
【００９４】
凝縮部５は、密閉性を有する平板状容器であり、内部空間に水平方向に延在した仕切り板８を設けて、上部空間と下部空間とを形成している。なお仕切り板８は、少なくとも一部に開口領域９を設けており、上部空間と下部空間とを連通した構造を形成する。
【００９５】
配管７は、蒸気管７ａと液管７ｂとを含んでいる。蒸気管７ａは、蒸発部３と凝縮部５の上部空間とを接続しており、蒸発部３において蒸発した冷媒の蒸気を凝縮部５に運ぶ。液管７ｂは、蒸発部３と凝縮部５の下部空間とを接続しており、凝縮部５において凝縮して液化した冷媒を蒸発部３に運ぶ。蒸気管７ａと凝縮部５とが接続する接続口と、液管７ｂと凝縮部５とが接続する接続口のあいだの位置で、仕切り板８は凝縮部５と接続している。
【００９６】
放熱部６は、凝縮部５を装着する連結部１０を備えた放熱部を有する構成としてもよい。連結部１０に凝縮部５を挿入することで、凝縮部５と放熱部６とを接触させる。そして、凝縮部５が蒸気管７ａを介して蒸発部３から伝えられた熱を、放熱部６に伝える。
【００９７】
ここで本実施形態における冷却構造１は、凝縮部５の上部空間の内壁に凝縮フィン１３を設けている。そして凝縮フィン１３は、凝縮部５における上面の内壁と熱的に接続しており、鉛直下方向に延在している。つまり凝縮フィン１３の上端部は、凝縮部５の上部の内壁面と接続している。また図１４に示すように、凝縮フィン１３を鉛直下方向に延伸させて下端部を仕切り板８と接続してもよい。
【００９８】
〔作用・効果の説明〕次に、本実施形態における作用・効果について説明を行う。
【００９９】
蒸発部４内に設けられた冷媒は、発熱体が発する熱を受熱することで沸騰する。冷媒が沸騰することで発生した気相冷媒である蒸気は、気液密度の差による浮力により、蒸気管７ａを介して凝縮部５に運ばれる。
【０１００】
凝縮部５は、放熱部６に挿入して使用することができ、この場合は凝縮部５と放熱部６は互いが接触して連結しており、熱的に接続している。そのため凝縮部５に運ばれた冷媒の蒸気の熱は、放熱部６に伝わる。放熱部６は外気と熱交換を行うことで、凝縮部５から伝えられた冷媒の蒸気の熱を冷却する。
【０１０１】
凝縮部５に運ばれた冷媒の蒸気は、放熱部６によって放熱し、凝縮して液化する。液化した冷媒は、重力により液管７ｂを介して蒸発部３へと還流する。そして冷媒は、蒸発部３において再び発熱体が発する熱により沸騰し、冷却サイクルが継続して行われる。
【０１０２】
ここで本実施形態における冷却構造１の凝縮部５における上部空間の内壁に凝縮フィン１３を設けている。そして凝縮フィン１３は、凝縮部５における上面の内壁と熱的に接続しており、鉛直下方向に延在している。つまり凝縮フィン１３の上端部は、凝縮部５の上部の内壁面と接続している。また図１４に示しように、凝縮フィン１３を鉛直下方向に延伸させて仕切り板８と接合してもよい。
【０１０３】
上記構成により、凝縮部５の上部空間における表面積が増加するため、冷媒の蒸気の熱を放熱部８に伝える効率が向上し、冷却性能を向上することができる。なお凝縮フィン１３の表面をサンドブラストなどで荒らすことで、凝縮フィン１３の表面積を更に増加することができ冷媒の凝縮作用をさらに促進することができる。
【０１０４】
また図１４に示すように、凝縮フィン１３の下端部を仕切り板８と接合することで、凝縮部５と仕切り板８との接合を、水平方向の端部だけでなく仕切り板８の面上でも固定できるため、強度を増すことができる。
【０１０５】
〔第６の実施形態〕次に、第６の実施形態について図１５、図１６を参照して詳細に説明する。図１５は凝縮部５の延在する方向に垂直な断面図であり、図１６は放熱部６の延在する方向に垂直な断面図である。
【０１０６】
〔構造の説明〕本実施形態における冷却構造１は、凝縮部５の外壁部に連結フィン１４を設けている。それ以外の構造、接続関係は、第１の実施形態と同様であり、蒸発部３と、凝縮部５と、配管７とを備えている。
【０１０７】
蒸発部３は、密閉構造であり内部に冷媒を貯蔵している。なお蒸発部３は実装されている発熱体と熱的に接触して使用し、冷媒は発熱体が発生する熱を受熱し沸騰する。
【０１０８】
凝縮部５は、密閉性を有する平板状容器であり、内部空間に水平方向に延在した仕切り板８を設けて、上部空間と下部空間とを形成している。なお仕切り板８は、少なくとも一部に開口領域９を備え、上部空間と下部空間とを連通した構造である。
【０１０９】
配管７は、蒸気管７ａと液管７ｂとを含んでいる。蒸気管７ａは、蒸発部３と凝縮部５の上部空間とを接続しており、蒸発部３において蒸発した冷媒の蒸気を凝縮部５に運ぶ。液管７ｂは、蒸発部３と凝縮部５の下部空間とを接続しており、凝縮部５において凝縮して液化した冷媒を蒸発部３に運ぶ。蒸気管７ａと凝縮部５とが接続する接続口と、液管７ｂと凝縮部５とが接続する接続口のあいだの位置で、仕切り板８は凝縮部５と接続している。
【０１１０】
放熱部６は、凝縮部５を装着する連結部１０を有している。連結部１０に凝縮部５を挿入することで、凝縮部５と放熱部６とを接触させる。そして、凝縮部５が蒸気管４ａを介して蒸発部３から伝えられた熱を、放熱部６に伝える。
【０１１１】
ここで本実施形態における冷却構造１は、図１５に示すように、凝縮部５の外壁面に連結フィン１４を設けている。そして凝縮部５を挿入する放熱部６の連結部１０の内壁は、図１６に示すように、凝縮部５の連結フィン１４が嵌合する形状を有している。
【０１１２】
なお図１５では、凝縮部５は外壁の上面部と下面部に連結フィン１４を設けているが、これに限定されず、左右の両側面にも連結フィン１４を設けていてもよい。
【０１１３】
放熱フィン１４は、凝縮部５と一体成形により製造してもよいし、凝縮部５とは別に製造して、溶接や接着などで接合してもよい。また放熱フォン１４の材質は、銅やアルミなど熱伝導性が高いものであれば特に限定されず、凝縮部５と同じ材質でもいし異なる材質でもよい。
【０１１４】
〔作用・効果の説明〕次に、本実施形態における作用・効果について説明を行う。
【０１１５】
蒸発部３内に貯蔵された冷媒は、発熱体が発する熱を受熱することで沸騰する。冷媒が沸騰することで発生した気相冷媒である蒸気は、気液密度の差による浮力により、蒸気管７ａを介して凝縮部５に運ばれる。
【０１１６】
凝縮部５が、放熱部６に装着されている場合、両者は互いに接触して連結しており、熱的に接続している。そのため凝縮部５に運ばれた冷媒の蒸気の熱は、放熱部６に伝わる。放熱部６は外気と熱交換を行うことで、凝縮部５から伝えられた冷媒の蒸気の熱を放熱する。
【０１１７】
凝縮部５に運ばれた冷媒の蒸気は、放熱部６により冷却されるため、凝縮して液化する。液化した冷媒は、重力により液管７ｂを介して蒸発部３へと還流する。そして冷媒は、蒸発部３において再び発熱体が発する熱により沸騰し、冷却サイクルが継続して行われる。
【０１１８】
ここで本実施形態における冷却構造１の凝縮部５は、外壁面に連結フィン１４を設けている。また放熱部６の連結部１０は凝縮部５の連結フィン１４が嵌合する形状を有している。
【０１１９】
上記構成により、連結部１０の内壁面と、凝縮部５の外壁面とが接触する表面積が増加するため、蒸気管７ａを介して凝縮部５に流入する冷媒の蒸気の熱を効率よく放熱部６に伝えることができ、冷却性能が向上する。また連結部の内壁面を、凝縮部の外壁面に設けられた連結フィンに対応して嵌合する形状とすることで、凝縮部５と連結部１０との接続関係を強化することができる。
【０１２０】
図１７に示すように、上記第１〜６実施形態に記載の冷却構造１を基板４に搭載し、放熱部６を備えた筐体２に装着することにより電子装置１５を構成することができる。すなわち電子装置１５は、発熱体を搭載する基板４と、基板４に配置され、蒸発部３と凝縮部５と配管とを備えた冷却構造１と、基板４を装着する筺体２とを有し、筺体２は凝縮部５を収容する連結部１０を含む放熱部６を備え、凝縮部５は、水平方向に延在した平板状容器を含み、凝縮部５の側面に配管と接続する接続口とを有し、さらに凝縮部５の内部を鉛直方向の上部に位置する上部空間と、鉛直方向下部に位置する下部空間とに仕切る仕切り板８を備え、仕切り板８は、上部空間と下部空間とを連通する開口領域９を有している。
【０１２１】
このとき筺体２は、箱型形状であり内部に放熱部６を備えることができ、冷却構造を実装した基板４が挿抜可能な形状であれば、特に限定されない。つまり筺体２は、基板４を水平方向から取り外し可能に接続することができ、内部に放熱部６を装着可能な構成であればよい。
【０１２２】
以上、実施形態を参照して本願発明を説明したが、本願発明は上記実施形態に限定されるものではない。本願発明の構成や詳細には、本願発明のスコープ内で当業者が理解し得る様々は変更をすることができる。
【０１２３】
この出願は、２０１２年１月２３日に出願された日本出願特許２０１２−０１１２３２を基礎とする優先権を主張し、その開示の全てをここに取り込む。
【符号の説明】
【０１２４】
１    冷却構造
２    筺体
３    蒸発部
４    基板
５    凝縮部
６    放熱部
７ａ    蒸気管
７ｂ    液管
８    仕切り板
９    開口領域
１０    連結部
１１    放熱フィン
１２    溝部
１３    凝縮フィン
１４    連結フィン
１５    電子装置
【図１】
2013111561.tif 000003
【図２】
2013111561.tif 000004
【図３】
2013111561.tif 000005
【図４】
2013111561.tif 000006
【図５】
2013111561.tif 000007
【図６】
2013111561.tif 000008
【図７】
2013111561.tif 000009
【図８】
2013111561.tif 000010
【図９】
2013111561.tif 000011
【図１０】
2013111561.tif 000012
【図１１】
2013111561.tif 000013
【図１２】
2013111561.tif 000014
【図１３】
2013111561.tif 000015
【図１４】
2013111561.tif 000016
【図１５】
2013111561.tif 000017
【図１６】
2013111561.tif 000018
【図１７】
2013111561.tif 000019
【国際調査報告】
2013111561.tif 000020
2013111561.tif 000021
2013111561.tif 000022
2013111561.tif 000023